(57)【要約】【課題】燃焼装置において、ファンに供給される電流値を環境に従って正確に補正し、かつ、燃焼装置が新たな環境に設置されたときに長期間ファンの補正が実行されない事態を回避すること。【解決手段】燃焼装置は、燃焼バーナの燃焼終了後（ステップＳ１００でＹＥＳ）、ファンに供給する電流値の補正を実行するための条件が成立したか否かを判断する（ステップＳ１２０）。当該条件が満たされると（ステップＳ１２０でＹＥＳ）、燃焼装置は、ステップＳ１３０以降で、上記電流値に対する補正係数を算出する。上記条件は、補正の回数が多くなるに従って厳しくなる。【選択図】図４
2018044698.tif 000002
【特許請求の範囲】
【請求項１】
熱交換器を加熱するための加熱部と、
前記加熱部に空気を送るためのファンと、
前記ファンを制御するための制御部とを備え、
前記制御部は、予め定められた条件が成立した場合に、前記ファンが予め定められた回転数で回転しているときに前記ファンに供給されている電流の値に基づいて、前記ファンの制御態様を補正するように構成されており、
前記条件は、前記補正の回数が多くなるほど厳しくなる、燃焼装置。
【請求項２】
前記条件は、前記ファンの駆動量に基づく、請求項１に記載の燃焼装置。
【請求項３】
前記制御部は、前記加熱部による加熱時間または積算熱量に基づいて、前記条件が満たされているか否かを判断する、請求項２に記載の燃焼装置。
【請求項４】
前記制御部は、前記加熱部が加熱を終了した後の予め定められた期間において前記補正を実行する、請求項１〜請求項３のいずれか１項に記載の燃焼装置。
【請求項５】
前記制御部は、前記補正において、前記ファンに供給された電流値の測定値と前記ファンに供給される電流の基準値との比を用いて、前記ファンに供給される電流の値についての補正係数を算出するように構成されている、請求項１〜請求項４のいずれか１項に記載の燃焼装置。
【請求項６】
前記補正係数は、さらに前記補正の回数を用いて算出される、請求項５に記載の燃焼装置。
【発明の詳細な説明】
【技術分野】
【０００１】
本開示は、燃焼装置に関し、特に、ファン電流の目標値を補正する燃焼装置に関する。
【背景技術】
【０００２】
燃焼装置には、バーナー等の加熱部にファンからの空気流を供給する構成を有するものがある。ファンから加熱部に十分な風量が提供されなければ、燃焼装置の運転が困難になる。ファンが確実に十分な風量を提供できるように、燃焼装置は、当該燃焼装置が設置された環境および／または当該燃焼装置の使用状況に応じてファンに供給される電流の値を補正する場合がある。特開２００３−１６１４３９号公報（特許文献１）および特開２００６−９４５７５号公報（特許文献２）は、燃焼装置におけるファンに供給される電流の値の補正のための技術を開示する。
【先行技術文献】
【特許文献】
【０００３】
【特許文献１】特開２００３−１６１４３９号公報
【特許文献２】特開２００６−９４５７５号公報
【発明の概要】
【発明が解決しようとする課題】
【０００４】
上記電流値を環境に応じて正確に補正するために、補正の実行のための条件が設けられることが好ましい。たとえば、特開２００３−１６１４３９号公報では、補正は、ポストパージ中に実行される。
【０００５】
従来の技術によれば、上記条件が満たされなければ補正が実行されない。このことから、燃焼装置が新たな環境に設置された当初は、補正が一度も実行されない期間が比較的長期間継続してしまうという事態が生じる可能性がある。
【０００６】
より具体的には、燃焼装置が給湯機として実現され加熱部がバーナーとして実現される場合、当該バーナーの燃焼動作が安定した後のファンの挙動に基づいて、当該ファンに供給される電流値を補正することが好ましい。しかしながら、夏場などは、バーナーの燃焼動作が安定する程度の長時間、連続して給湯機が使用されない可能性が高い。このことから、燃焼装置が夏場に新たな環境に設置された場合、設置開始当初、比較的長期間にわたってファンに供給される電流値の補正が実行されない事態が生じ得る。
【０００７】
本開示は、かかる実情に鑑み考え出されたものであり、その目的は、燃焼装置において、ファンに供給される電流値を環境に従って正確に補正し、かつ、燃焼装置が新たな環境に設置されたときに長期間ファンの補正が実行されない事態を回避することである。
【課題を解決するための手段】
【０００８】
本開示のある局面に従うと、熱交換器を加熱するための加熱部と、加熱部に空気を送るためのファンと、ファンを制御するための制御部とを備え、制御部は、予め定められた条件が成立した場合に、ファンが予め定められた回転数で回転しているときにファンに供給されている電流の値に基づいて、ファンの制御態様を補正するように構成されており、条件は、補正の回数が多くなるほど厳しくなる、燃焼装置が提供される。
【０００９】
好ましくは、条件は、ファンの駆動量に基づく。
好ましくは、制御部は、加熱部による加熱時間または積算熱量に基づいて、条件が満たされているか否かを判断する。
【００１０】
好ましくは、制御部は、加熱部が加熱を終了した後の予め定められた期間において補正を実行する。
【００１１】
好ましくは、制御部は、補正において、ファンに供給された電流値の測定値とファンに供給される電流の基準値との比を用いて、ファンに供給される電流の値についての補正係数を算出するように構成されている。
【００１２】
好ましくは、補正係数は、さらに補正の回数を用いて算出される。
【発明の効果】
【００１３】
本開示によれば、補正の回数が大きくなるほど、補正を実行するための条件が厳しくなる。設置当初は、補正の回数が少なく、補正を実行するための条件が厳しくない。このことから、設置当初、早い時期に、環境の特性に応じた補正が実行されやすくなる。設置当初は、補正が比較的実行されやすい。したがって、燃焼装置が新たな環境に設置された後長期間ファンの補正が実行されない事態が回避され得る。
【００１４】
補正の回数が多くなると、比較的厳しい条件が満たされなければ補正が実行されない。このため、補正において、燃焼装置の使用環境が正確に反映され得る。
【図面の簡単な説明】
【００１５】
【図１】本開示の燃焼装置の一例であるふろ給湯装置の概略ブロック図である。
【図２】ふろ給湯装置のコントローラの概略構成図である。
【図３】ふろ給湯装置における補正の実行の条件の一例を模式的に示す図である。
【図４】ファンの制御態様の補正ために実行される処理の一例のフローチャートである。
【図５】補正係数の算出態様の一例を説明するための図である。
【図６】ふろ給湯装置における補正の実行の条件の他の例を模式的に示す図である。
【図７】ふろ給湯装置における補正の実行の条件のさらに他の例を模式的に示す図である。
【図８】ふろ給湯装置における補正の実行の条件のさらに他の例を模式的に示す図である。
【図９】ファンの制御態様の補正ために実行される処理の他の例のフローチャートである。
【図１０】補正係数の算出態様の他の例を説明するための図である。
【発明を実施するための形態】
【００１６】
以下、図面を参照しつつ、燃焼装置の実施の形態について説明する。以下の説明では、同一の部品および構成要素には同一の符号を付してある。それらの名称および機能も同じである。したがって、これらについての詳細な説明は繰り返さない。
【００１７】
［燃焼装置の概略的な構成］
図１は、本開示の燃焼装置の一例であるふろ給湯装置１の概略ブロック図である。図１を参照して、ふろ給湯装置１は、筐体１ａ内において、熱交換器３２と、燃焼バーナ３０と、ファン３１と、水道水等を給水するための給水路に相当する入水管５０と、バイパス管６０と、出湯管７０と、ふろ給湯装置１の各部（弁、センサ、ポンプ等）を制御および監視するための制御部に相当するコントローラ１００とを備える。燃焼バーナ３０は、熱交換器を加熱するための加熱部の一例である。加熱部は、熱交換器を加熱することができればよく、バーナに限定されない。
【００１８】
ふろ給湯装置１は、当該ふろ給湯装置１の各要素の動作を制御するためのコントローラ（後述する図２のコントローラ１００）を備える。コントローラの制御部（後述する図２のＣＰＵ１０１）は、補正係数を利用して、ファン３１に供給する電流値についての制御目標値を設定する。制御部は、ファン３１の制御態様の補正として、上記補正係数を算出（更新）する。当該制御態様の補正の実行のために条件が設定される。当該条件は、それまでに実行された補正の回数が多くなるに従って厳しくなる。上記補正の実行条件は、図３等を参照して後述される。
【００１９】
図１に戻って、給水路に相当する入水管５０および出湯管７０の間にはバイパス管６０が配置される。入水管５０には、バイパス管６０への分流を制御するための分配弁８０が介挿接続される。さらに、入水管５０には、入水サーミスタ１１０および流量センサ１５０が配置される。入水サーミスタ１１０は、給水路の入水温度、すなわち水道水の温度を検出する。分配弁８０の開度に応じて、給水量の一部が入水管５０からバイパス管６０へ分流される。
【００２０】
燃焼バーナ３０の燃焼運転により熱交換器３２は加熱される。入水管５０内の水は、熱交換器３２で加熱される。所定温度まで加熱された湯は、出湯管７０から出湯される。出湯管７０は、合流点７５においてバイパス管６０と接続される。したがって、出湯管７０からの高温湯、および、バイパス管６０からの水を混合し、操作部１０４において設定された湯が、台所や浴室等の給湯栓１９０および浴槽８を含む給湯箇所に供給される。
【００２１】
給湯路に相当する出湯管７０には、給湯流量を制御するための流量調整弁９０および温度センサ１３０が設けられる。温度センサ１３０は、バイパス管６０からの水が混合された後の出湯温度を検出する。
【００２２】
また、流量調整弁９０の下流側に、浴槽８への注湯（湯の供給）のための注湯電磁弁１３２が設けられる。
【００２３】
［循環回路］
図１のふろ給湯装置１は、循環回路を備える。循環回路は、浴槽８内に設けられた吸込口から熱交換器を経由して浴槽８内に設けられた吐出口へ至るように形成されている。具体的には、循環回路には、図中の矢印“ふろ戻り”で示す戻り回路および矢印“ふろ往き”で示す往き回路が設けられる。戻り回路の上流端（すなわち、浴槽８側）は、浴槽８に設置された循環アダプタ８１の吸込側に接続される。また、往き回路の下流端（すなわち、浴槽８側）は、循環アダプタ８１の吐出側に接続される。循環回路には、戻り回路において循環のためのポンプ３３および浴槽８内の水位を測定するための水位センサ３５が設けられる。水位センサ３５は、戻り回路の配管にかかる圧力（より特定的には配管内の水圧）を検出し、検出した圧力から浴槽８内の水位を検出する。また、戻り回路には、より特定的には水位センサ３５の付近において配管内の水温を測定するふろ戻り温度サーミスタ３４が設けられる。ふろ戻り温度サーミスタ３４は浴槽８から戻り回路に入水する浴槽水の温度を測定する。また、往き回路には、浴槽８内に出湯される水温を測定するふろ往き温度サーミスタ３６が設けられる。
【００２４】
なお、浴槽８内の水位は循環回路の途中部に設けられた圧力式の水位センサ３５の出力により示されるとしたが、水位センサは圧力式に限定されない。また水位センサの取付け位置は循環回路に限定されず、例えば浴槽８に設置されるとしてもよい。
【００２５】
浴槽８の水（または湯）が上記の循環回路を介して循環するようポンプ３３が作動すると、浴槽８からの浴槽水は、循環アダプタ８１の吸込口から、ふろ戻り配管および熱交換器、ならびに、ふろ往き配管を経由して、循環アダプタ８１の吐出口８６へ至る経路を循環する。これにより、浴槽８を含む循環回路内の水温を均一にすることができる。
【００２６】
［コントローラ１００の構成］
図２は、ふろ給湯装置１のコントローラ１００の概略構成図である。コントローラ１００は、ＣＰＵ（Central  Processing  Unit）１０１、ふろ給湯装置１内の各種の弁、各種のポンプなどに弁の開閉、またはポンプ駆動のための制御信号を送出するとともに、各種センサ（水位センサ、サーミスタ等の温度センサ、流量センサ等）からの検出信号を入力するためのインターフェイス１０３、操作部１０４、ふろ給湯装置１の運転に関する情報を出力する出力部１０５、タイマ１０６、および記憶部１０２を含む。ＣＰＵ１０１は、タイマ１０６を用いることにより、計時機能を実現する。操作部１０４は、ふろ給湯装置１に対するユーザ操作（例えば、運転に関する指示入力の操作等）を受付けるためにスイッチ、ボタン等を含む。運転に関する指示には、浴槽８に湯張りする場合の水位の設定値や湯量の設定値または温度の設定値を含む。
【００２７】
記憶部１０２は、プログラムおよびデータを格納するための揮発性または不揮発性のメモリからなる。記憶部１０２は、目標値記憶部１０２１と、基準値記憶部１０２２と、条件記憶部１０２３と、制御値記憶部１０２４と、補正係数記憶部１０２５と、補正回数記憶部１０２６とを含む。
【００２８】
目標値記憶部１０２１は、ファン３１の制御態様の補正において当該ファン３１の回転数の目標値を格納する。
【００２９】
基準値記憶部１０２２は、上記目標値でファン３１が回転したときにファン３１に供給されるべき電流値の基準値（後述する基準値Ｉ０）を格納する。
【００３０】
条件記憶部１０２３は、ファン３１の制御態様の補正を実行するための条件を特定するデータを格納するを格納する。
【００３１】
制御値記憶部１０２４は、ふろ給湯装置１の動作の状況に応じてファン３１に供給されるべき電流値を格納する。ふろ給湯装置１の動作の状況の一例は、燃焼バーナ３０の目標燃焼量である。この例において、制御値記憶部１０２４は、目標燃焼量毎に、制御値として、ファン３１に供給されるべき電流量を格納する。
【００３２】
補正係数記憶部１０２５は、制御値に対する補正係数（補正係数Ｃ）を格納する。
補正回数記憶部１０２６は、ふろ給湯装置１において実行された補正の回数（補正回数Ｎ）を格納する。
【００３３】
図１をさらに参照して、コントローラ１００は、ふろ給湯装置１の運転開始スイッチがオン操作された状態で給湯栓１９０が開かれると、流量センサ１５０によって検出される流量が最低作動流量（ＭＯＱ）を超えるのに応じて、燃焼バーナ３０による燃焼動作をオンする。浴槽８への湯張りモードにおいて、ＣＰＵ１０１は、各種の弁（分配弁８０、流量調整弁９０、および注湯電磁弁１３２）を開弁制御する。これにより、浴槽８へ注湯が開始される。ＣＰＵ１０１は、流量センサの出力から浴槽８への注湯量を検出し、検出された注湯量と湯張り湯量とを比較し、比較の結果に基づき注湯運転を終了する。
【００３４】
注湯運転が終了後等の浴槽８に湯張りされた状態で、ＣＰＵ１０１は、水位センサ３５のよる測定水位と予め設定された判定水位とを比較し、比較の結果に基づき（測定水位≧判定水位）の条件が成立すると判定した場合には、湯張りモードを終了する。ＣＰＵ１０１は、ふろ給湯装置１の運転モードに従って、ふろ給湯装置１の各部を制御する。例えば、保温モードである場合に当該条件が成立するときは、ＣＰＵ１０１は、浴槽８の湯温を設定温度に保つように各部を制御する。
【００３５】
コントローラ１００は、ファン３１の回転を検出する回転検出部３１１、および、ファン３１に供給された電流値を測定する電流測定部３１２を含む。ＣＰＵ１０１は、インターフェイス１０３を介して、ファン３１に制御信号を送信する。ＣＰＵ１０１は、たとえば、燃焼バーナ３０による燃焼動作をオンしている間、ファン３１に駆動電流を供給する。回転検出部３１１は、インターフェイス１０３を介して、ＣＰＵ１０１へ、ファン３１の回転数等を出力する。電流測定部３１２は、インターフェイス１０３を介して、ＣＰＵ１０１に検出値（電流値）を出力する。
【００３６】
［ファン電流の設定］
ファン３１へ供給される電流値の設定について説明する。ＣＰＵ１０１は、たとえば、ふろ給湯装置１において設定された給湯温度に従って燃焼バーナ３０の目標燃焼量を設定する。ＣＰＵ１０１は、制御値記憶部１０２４から、上記目標燃焼量に関連付けられた制御値を読み出す。ＣＰＵ１０１は、さらに、補正係数記憶部１０２５から補正係数を読み出す。ＣＰＵ１０１は、読み出した制御値と読み出した補正係数とを用いて、ファン３１の制御目標値を導出する。
【００３７】
制御目標値は、たとえば、次の式（１）に従って、制御値と補正係数Ｃとの積として導出される。
【００３８】
制御目標値＝制御値×補正係数Ｃ  …（１）
ＣＰＵ１０１は、導出された制御目標値によって特定される量の電流を、インターフェイス１０３を介して、ファン３１に供給する。
【００３９】
［条件の具体例］
ＣＰＵ１０１によるファン３１の制御態様の補正は、予め定められた条件が成立したことに応じて実行される。当該条件は、条件記憶部１０２３（図２）に格納される。図３は、当該条件の一例を模式的に示す図である。
【００４０】
図３に示されるように、条件記憶部１０２３では、補正条件が補正回数Ｎに関連付けられている。補正回数Ｎとは、後述する図４の処理等において利用される変数であり、ファン電流についての補正が実行された回数である。補正回数Ｎの初期値は、たとえば０である。補正回数Ｎは、たとえば記憶部１０２に格納される。
【００４１】
より具体的には、補正回数Ｎが０から９のとき、補正条件は連続加熱時間が１分以上であることである。補正回数Ｎが１０以上のとき、補正条件は連続加熱時間が５分以上であることである。「連続加熱時間」とは、燃焼バーナ３０が連続して熱交換器３２を加熱した時間である。
【００４２】
図３によれば、補正回数Ｎが０〜９のときには、１分以上加熱が連続すれば、補正を実行する条件が満たされるのに対し、補正回数Ｎが１０以上のときには５分以上加熱が連続しなければ補正が実行されない。すなわち、図３の例では、補正回数が多くなるほど補正を実行するための条件が厳しくなる。
【００４３】
図３の例は、補正回数Ｎについて、「０〜９」および「１０以上」の２つの階級を含む。ふろ給湯装置１において利用される条件は、補正回数Ｎについての３つ以上の階級のそれぞれについて補正条件を含んでいてもよい。
【００４４】
［処理の流れ］
図４は、ファン３１の制御態様を補正するためにコントローラ１００において実行される処理の一例のフローチャートである。図４の処理は、たとえば、ＣＰＵ１０１が所与のプログラムを実行することによって実現される。
【００４５】
図４に示されるように、ステップＳ１００で、ＣＰＵ１０１は、燃焼バーナ３０の燃焼が終了したか否かを判断する。ＣＰＵ１０１は、当該燃焼が終了するまでステップＳ１００に制御を留め（ステップＳ１００でＮＯ）、当該燃焼が終了したと判断すると（ステップＳ１００でＹＥＳ）、ステップＳ１０５へ制御を進める。
【００４６】
ステップＳ１０５で、ＣＰＵ１０１は、ふろ給湯装置１の状態をポストパージへと移行させる。その後、制御はステップＳ１１０へ進む。
【００４７】
ステップＳ１１０で、ＣＰＵ１０１は、補正条件を読み出す。補正条件は、図３に示されるように、補正回数Ｎに関連付けられている。ＣＰＵ１０１は、補正回数記憶部１０２６から補正回数Ｎを読出し、条件記憶部１０２３から当該補正回数Ｎに関連付けられている補正条件を読み出す。その後、制御はステップＳ１２０へ進む。
【００４８】
ステップＳ１２０で、ＣＰＵ１０１は、読み出した補正条件が満たされているか否かを判断する。
【００４９】
より具体的には、補正回数Ｎが０−９の場合には、ＣＰＵ１０１は、ステップＳ１００で終了を判断した燃焼が連続して１分継続していたか否かを判断する。当該燃焼の開始時刻および終了時刻は、たとえば、記憶部１０２の所与の領域に格納される。ＣＰＵ１０１は、当該開始時刻および終了時刻に基づいて当該燃焼が計測した時間を特定する。当該燃焼が連続して１分以上継続していた場合、ＣＰＵ１０１は、上記補正条件が満たされていると判断する。当該燃焼が連続して１分以上継続していなかった場合、すなわち、当該燃焼が開始から１分が経過する前に終了していた場合には、ＣＰＵ１０１は、上記補正条件が満たされていないと判断する。
【００５０】
補正回数Ｎが１０以上の場合、ＣＰＵ１０１は、ステップＳ１００で終了を判断した燃焼が連続して５分継続していたか否かを判断する。当該燃焼が連続して５分以上継続していた場合、ＣＰＵ１０１は、上記補正条件が満たされていると判断する。当該燃焼が連続して５分以上継続していなかった場合、すなわち、当該燃焼が開始から５分が経過する前に終了していた場合には、ＣＰＵ１０１は、上記補正条件が満たされていないと判断する。
【００５１】
ＣＰＵ１０１は、補正条件が満たされていると判断するとステップＳ１３０へ制御を進める。一方、ＣＰＵ１０１は、補正条件が満たされていないと判断すると、図４の処理を終了させる。
【００５２】
ステップＳ１３０で、ＣＰＵ１０１は、電流測定部３１２において測定された測定値Ｉ´を取得する。測定値Ｉ´は、ファン３１の回転数が、目標値記憶部１０２１に格納された目標値に到達したときに、ファン３１に供給されている電流の値である。
【００５３】
ステップＳ１４０で、ＣＰＵ１０１は、測定値Ｉ´と基準値Ｉ０とを利用して、ファン３１に供給される電流値についての補正係数Ｃを算出する。基準値Ｉ０は、たとえば製品出荷時に基準値記憶部１０２２（図２）に格納されている。
【００５４】
図５は、補正係数の算出態様の一例を説明するための図である。図５において式（２）として示されるように、補正係数Ｃは、測定値Ｉ´に対する基準値Ｉ０の比として算出される。
【００５５】
図４に戻って、ステップＳ１５０で、ＣＰＵ１０１は、補正係数記憶部１０２５に格納された補正回数Ｎの値を１加算更新する。その後、図４の処理は終了する。
【００５６】
以上説明された図４の処理では、ふろ給湯装置１は、燃焼バーナ３０の燃焼終了後（ステップＳ１００でＹＥＳ）、ファン３１に供給する電流値の補正を実行するための条件が成立したか否かを判断する（ステップＳ１２０）。当該条件が満たされたと判断すると（ステップＳ１２０でＹＥＳ）、ふろ給湯装置１は、ステップＳ１３０以降で、上記電流値に対する補正係数を算出する。上記条件は、それまでに実行された補正の回数が多くなるに従って厳しくなる。
【００５７】
図４の処理では、ステップＳ１００の制御は、燃焼バーナ３０の燃焼が終了した後の予め定められた時間内に実行される。これにより、ふろ給湯装置１では、いわゆるポストパージとして特定される期間内に、ファン３１の制御態様の補正が実行され得る。ただし、ふろ給湯装置１では、当該補正は、燃焼バーナ３０の非燃焼状態であれば必ずしもポストパージの期間内に実行されなくてもよい。
【００５８】
［補正実行の条件］
（図６）
図６は、ファン３１の制御態様の補正が実行される条件の他の例を模式的に示す図である。図６の例では、補正回数Ｎは、図３と同様に補正条件に関連付けられている。ただし、図６の補正条件は、積算熱量に関連している。積算熱量とは、たとえば、直前の加熱において燃焼バーナ３０が供給することを必要とされた熱量である。図６では、補正回数Ｎが０−９のときの補正条件は、積算熱量がＱ１以上であることである。補正回数Ｎが１０以上のときの補正条件は、積算熱量がＱ２以上であることである。Ｑ１およびＱ２は、予め定められた定数である。Ｑ２は、Ｑ１より大きい値である。
【００５９】
図６に示された定義によれば、補正回数Ｎが０−９のときには、積算熱量がＱ２に到達しなくとも、Ｑ１に到達していれば、補正が実行される。一方、補正回数Ｎが１０以上のときには、積算熱量がＱ１に到達していても、Ｑ２に到達していなければ、補正が実行されない。すなわち、上記条件は、補正の回数が多くなるに従って厳しくなる。
【００６０】
図６に示された条件が利用される場合、図４のステップＳ１２０の制御は以下のように実行される。
【００６１】
より具体的には、補正回数Ｎが０−９の場合には、ＣＰＵ１０１は、ステップＳ１００で終了を判断した燃焼における積算熱量がＱ１以上であるか否かを判断する。当該積算熱量は、たとえば、記憶部１０２の所与の領域に格納される。ＣＰＵ１０１は、当該積算熱量がＱ１以上である場合、上記補正条件が満たされていると判断する。ＣＰＵ１０１は、当該積算熱量がＱ１未満である場合、上記補正条件が満たされていないと判断する。
【００６２】
補正回数Ｎが１０以上の場合、ＣＰＵ１０１は、ステップＳ１００で終了を判断した燃焼における積算熱量がＱ２以上であるか否かを判断する。ＣＰＵ１０１は、当該積算熱量がＱ２以上である場合、上記補正条件が満たされていると判断する。ＣＰＵ１０１は、当該積算熱量がＱ２未満である場合、上記補正条件が満たされていないと判断する。
【００６３】
ＣＰＵ１０１は、補正条件が満たされていると判断するとステップＳ１３０へ制御を進める。一方、ＣＰＵ１０１は、補正条件が満たされていないと判断すると、図４の処理を終了させる。
【００６４】
（図７）
図７は、ファン３１の制御態様の補正が実行される条件のさらに他の例を模式的に示す図である。図７の例では、補正回数Ｎは、図３と同様に補正条件に関連付けられている。ただし、図７の補正条件は、ファン３１の連続運転時間に関連している。連続運転時間とは、たとえば、直前の燃焼バーナ３０による加熱においてファン３１が連続して運転（回転）していた時間の長さである。連続運転時間は、ファンの駆動量の一例である。図７では、補正回数Ｎが０−９のときの補正条件は、連続運転時間がＴ１以上であることである。補正回数Ｎが１０以上のときの補正条件は、連続運転時間がＴ２以上であることである。Ｔ１およびＴ２は、予め定められた定数である。Ｔ２は、Ｔ１より大きい値である。
【００６５】
図７に示された定義によれば、補正回数Ｎが０−９のときには、連続運転時間がＴ２に到達しなくとも、Ｔ１に到達していれば、補正が実行される。一方、補正回数Ｎが１０以上のときには、連続運転時間がＴ１に到達していても、Ｔ２に到達していなければ、補正が実行されない。すなわち、上記条件は、補正の回数が多くなるに従って厳しくなる。
【００６６】
図７に示された条件が利用される場合、図４のステップＳ１２０の制御は以下のように実行される。
【００６７】
より具体的には、補正回数Ｎが０−９の場合には、ＣＰＵ１０１は、ステップＳ１００で終了を判断した燃焼におけるファン３１の連続運転時間がＴ１以上であるか否かを判断する。当該連続運転時間は、たとえば、記憶部１０２の所与の領域に格納される。ＣＰＵ１０１は、当該連続運転時間がＴ１以上である場合、上記補正条件が満たされていると判断する。ＣＰＵ１０１は、当該連続運転時間がＴ１未満である場合、上記補正条件が満たされていないと判断する。
【００６８】
補正回数Ｎが１０以上の場合、ＣＰＵ１０１は、ステップＳ１００で終了を判断した燃焼におけるファン３１の連続運転時間がＴ２以上であるか否かを判断する。ＣＰＵ１０１は、当該連続運転時間がＴ２以上である場合、上記補正条件が満たされていると判断する。ＣＰＵ１０１は、当該連続運転時間がＴ２未満である場合、上記補正条件が満たされていないと判断する。
【００６９】
ＣＰＵ１０１は、補正条件が満たされていると判断するとステップＳ１３０へ制御を進める。一方、ＣＰＵ１０１は、補正条件が満たされていないと判断すると、図４の処理を終了させる。
【００７０】
（図８）
ふろ給湯装置１が特定の状況にある場合、燃焼終了後、無条件で、補正が実行されてもよい。図８は、ファン３１の制御態様の補正が実行される条件のさらに他の例を模式的に示す図である。
【００７１】
図８に示された例では、図７に示された例と比較して、補正条件が、補正回数Ｎについての３つの階級（「０」「１−９」および「１０以上」）のそれぞれに関連付けられている。図８の例では、補正回数Ｎが「０」であるときの補正条件は「条件無し」である。
【００７２】
補正回数Ｎは、ふろ給湯装置１においてまだ補正が実行されていない状況を示す。図８の例では、燃焼バーナ３０が初めて燃焼を行なった後（補正回数Ｎのとき）には、無条件で、ファン３１の制御態様についての補正が実行される。
【００７３】
［処理の流れの他の例］
図９は、ファン３１の制御態様を補正するためにコントローラ１００において実行される処理の他の例のフローチャートである。図９の処理は、図４の処理と比較して、ステップＳ１００およびステップＳ１０５の代わりにステップＳ１０２を含む。
【００７４】
ステップＳ１０２で、ＣＰＵ１０１は、ふろ給湯装置１がテストモードで動作しているか否かを判断する。ふろ給湯装置１は、たとえば操作部１０４においてテストモード用のボタンを操作されることによって、テストモードで動作する。
【００７５】
ＣＰＵ１０１は、ふろ給湯装置１がテストモードで動作していると判断するまでステップＳ１０２に制御を留め、テストモードで動作していると判断すると、ステップＳ１１０へ制御を進める。その後、ＣＰＵ１０１は、ステップＳ１１０以降の制御によって、必要に応じてファン３１の制御態様の補正のための処理を実行する。
【００７６】
図９に示された処理によれば、ふろ給湯装置１では、燃焼バーナ３０による加熱が実行されなくても、テストモード用のボタンが操作されれば、ファン３１の制御態様の補正を実行できる。
【００７７】
ふろ給湯装置１では、ＣＰＵ１０１は、図８に示された処理と図９に示された処理の双方を実行してもよい。
【００７８】
［補正係数の算出の他の例］
図１０は、補正係数Ｃの算出態様の他の例を説明するための図である。図１０には、式（２Ａ）および式（２Ｂ）が示されている。ＣＰＵ１０１は、ステップＳ１４０（図４または図９）において、図５に示された式（２）の代わりに、式（２Ａ）および式（２Ｂ）を用いて補正係数Ｃを算出してもよい。
【００７９】
式（２Ａ）に従うと、ＣＰＵ１０１は、測定値Ｉ´と基準値Ｉ０とを利用して変化率Ｒを算出する。ＣＰＵ１０１は、算出された変化率Ｒを、今回の変化率Ｒｃとして記憶部１０２に格納する。ＣＰＵ１０１は、さらに、それまでに記憶部１０２に格納されていた変化率Ｒｃを、前回の変化率Ｒｐとして記憶部１０２に格納する。
【００８０】
式（２Ｂ）に従うと、ＣＰＵ１０１は、今回の変化率Ｒｃ、前回の変化率Ｒｐ、および、補正回数Ｎとを用いて、補正係数Ｃを算出する。
【００８１】
図１０の式（２Ａ）および式（２Ｂ）は、補正係数Ｃの算出に補正の回数を使用する。これにより、補正回数Ｎが少ないほど、導出される補正係数Ｃにおいて、１回の補正において算出される変化率の値の補正係数Ｃに与える影響を大きくすることができる。
【００８２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８３】
１  ふろ給湯装置、３０  燃焼バーナ、３１  ファン、３２  熱交換器、１００  コントローラ、１０２  記憶部、１０３  インターフェイス、１０４  操作部、１０５  出力部、３１１  回転検出部、３１２  電流測定部、１０２１  目標値記憶部、１０２２  基準値記憶部、１０２３  条件記憶部、１０２４  制御値記憶部、１０２５  補正係数記憶部、１０２６  補正回数記憶部。
【図１】
2018044698.tif 000003
【図２】
2018044698.tif 000004
【図３】
2018044698.tif 000005
【図４】
2018044698.tif 000006
【図５】
2018044698.tif 000007
【図６】
2018044698.tif 000008
【図７】
2018044698.tif 000009
【図８】
2018044698.tif 000010
【図９】
2018044698.tif 000011
【図１０】
2018044698.tif 000012